(57)【要約】【課題】可動鉄心が吸着直後に離脱することのない自己保持型ソレノイドと、これを用いた絞り装置およびカメラを提供する。【解決手段】リセット動作において、係止レバー５０は、可動鉄心２０の吸着端２１が吸着板１４に当接する前に、腕５４が当接面１９１に当接して停止する。可動鉄心２０は、永久磁石１３の磁力によって吸引されて、吸着位置まで移動する。リセット動作が進行すると、ピン１０８ａが右側へ移動して係止レバー５０の腕５４から離間する。これにより、ねじりバネ１０６の付勢力によって係止レバー５０の腕５４は左旋されて、切り欠き部５１が第１係合面２３に衝突する。切り欠き部５１が第１係合面２３に移動する距離は、自己保持型ソレノイド１０の制御基板１３０への取り付け位置によって略一定に保たれているので、切り欠き部５１が第１係合面２３に衝突する際の衝撃は小さな値で略一定に保たれる。【選択図】      図９
2004363462.tif 000002
【特許請求の範囲】
【請求項１】
第１および第２の係合部を有する可動鉄心とを備え、永久磁石の磁力により前記可動鉄心を前記永久磁石側の所定位置に吸着保持し、励磁コイルに通電されると前記励磁コイルで発生した磁界が前記永久磁石の磁界を相殺して前記可動鉄心が前記所定位置から離脱可能となる自己保持型ソレノイドと、
前記可動鉄心の第１もしくは第２の係合部と係合する第３の係合部を有し、前記可動鉄心を前記所定位置から離脱する方向に駆動するよう前記第３の係合部で前記第１の係合部を押圧する付勢力を与えられている動作部材とを備え、
前記可動鉄心が前記所定位置に吸着保持されたとき、前記動作部材の前記第３の係合部は前記第１の係合部と当接し、
前記動作部材により前記可動鉄心を前記所定位置より離脱した状態から前記所定位置へ復帰させる動作の途中では、前記動作部材の前記第３の係合部が前記第２の係合部を押圧して、前記可動鉄心を前記所定位置へ復帰させ、
前記可動鉄心が前記所定位置より離脱した状態から前記所定位置へ復帰するとき、前記動作部材は前記第３の係合部が前記第１および第２の係合部のいずれにも当接しない位置まで移動した後、前記第３の係合部が前記第１の係合部と当接して前記可動鉄心を前記所定位置へ復帰させる動作を終了することを特徴とする自己保持型ソレノイドの吸着機構。
【請求項２】
請求項１に記載の自己保持型ソレノイドの吸着機構において、
前記可動鉄心を前記所定位置より離脱した状態から前記所定位置へ復帰させる動作の開始から途中までは、前記可動鉄心は前記動作部材により押圧され、
前記所定位置へ復帰させる動作の途中からは、前記可動鉄心は前記永久磁石により吸引されて前記所定位置へ復帰することを特徴とする自己保持型ソレノイドの吸着機構。
【請求項３】
請求項１または請求項２に記載の自己保持型ソレノイドの吸着機構において、前記可動鉄心が前記所定位置より離脱した状態から前記所定位置へ復帰し、前記動作部材は前記第３の係合部が前記第１および第２の係合部のいずれにも当接しない位置まで移動した際、前記第３の係合部と前記第１の係合部との間隔が調整可能なように、前記自己保持型ソレノイドの固定位置が調節可能であることを特徴とする自己保持型ソレノイドの吸着機構。
【請求項４】
請求項１〜３のいずれかの項に記載の自己保持型ソレノイドの吸着機構と、
前記動作部材の付勢力に抗して前記動作部材を駆動可能なリセットレバーと、前記リセットレバーに設けられた爪部に係止して、前記動作部材の付勢力に抗して前記動作部材を駆動する方向に前記リセットレバーを駆動する駆動レバーとを備えることを特徴とする絞り装置。
【請求項５】
請求項４の絞り装置を備えることを特徴とするカメラ。
【発明の詳細な説明】
【０００１】
【発明の属する技術分野】
本発明は、永久磁石の磁力により可動鉄心を吸着保持し、励磁コイルに通電されると可動鉄心が離脱可能となる自己保持型ソレノイドと、これを用いた絞り装置およびカメラに関する。
【０００２】
【従来の技術】
カメラの絞り装置等に使用される自己保持型ソレノイドにおいては、励磁コイルに通電されると永久磁石の磁力により吸着していた可動鉄心が離脱するように、可動鉄心にバネなどで付勢されたレバーが係合している。離脱した可動鉄心を永久磁石に吸着させる際には、レバーをバネなどの付勢力に抗して動作させて、可動鉄心を吸着位置に移動させる。可動鉄心が再び永久磁石に吸着された後には、永久磁石による吸着力がバネなどの付勢力よりも強いため、励磁コイルに通電されるまでは、永久磁石の磁力によりバネなどの付勢力に抗して可動鉄心を吸着保持する。しかし、レバーを動作させて、可動鉄心を吸着させる際の衝撃が大きい場合、可動鉄心が吸着直後に離脱する恐れがある。このような可動鉄心の予期せぬ離脱を防止するため、永久磁石の磁力を強くすると、今度は励磁コイル通電から可動鉄心離脱までの時間が長くなる。これに対して、励磁コイルが発生する磁力を強くしようとすると、励磁コイルが大きくなり、スペース的に不利となる。そこで、従来、レバーを動作させて可動鉄心を永久磁石に吸着させた後、レバーが可動鉄心を永久磁石の方向へ押圧している時間を長くするなどして、可動鉄心の予期せぬ離脱防止を図っている（特許文献１参照）。
【０００３】
【特許文献１】
特開２０００−６６２６５号公報
【０００４】
【発明が解決しようとする課題】
しかし、従来の自己保持型ソレノイドでは、可動鉄心とレバーとの係合部に、吸着された可動鉄心に対してレバーの動作方向にレバーが移動可能な隙間がある。このため、可動鉄心を吸着位置へ移動させたレバーは、バネなどによる付勢力によって可動鉄心離脱の方向に再び移動して、レバーが離脱方向側の可動鉄心に衝突する。この衝突により、可動鉄心が吸着直後に離脱する恐れがある。
【０００５】
本発明は、可動鉄心が吸着直後に離脱することのない自己保持型ソレノイドの吸着機構と、これを用いた絞り装置およびカメラを提供する。
【０００６】
【課題を解決するための手段】
（１）  請求項１の発明による自己保持型ソレノイドの吸着機構は、第１および第２の係合部を有する可動鉄心とを備え、永久磁石の磁力により可動鉄心を永久磁石側の所定位置に吸着保持し、励磁コイルに通電されると励磁コイルで発生した磁界が永久磁石の磁界を相殺して可動鉄心が所定位置から離脱可能となる自己保持型ソレノイドと、可動鉄心の第１もしくは第２の係合部と係合する第３の係合部を有し、可動鉄心を所定位置から離脱する方向に駆動するよう第３の係合部で第１の係合部を押圧する付勢力を与えられている動作部材とを備え、可動鉄心が所定位置に吸着保持されたとき、動作部材の第３の係合部は第１の係合部と当接し、動作部材により可動鉄心を所定位置より離脱した状態から所定位置へ復帰させる動作の途中では、動作部材の第３の係合部が第２の係合部を押圧して、可動鉄心を所定位置へ復帰させ、可動鉄心が所定位置より離脱した状態から所定位置へ復帰するとき、動作部材は第３の係合部が第１および第２の係合部のいずれにも当接しない位置まで移動した後、第３の係合部が第１の係合部と当接して可動鉄心を所定位置へ復帰させる動作を終了することを特徴とする。
（２）  この自己保持型ソレノイドの吸着機構では、可動鉄心を前記所定位置より離脱した状態から所定位置へ復帰させる動作の開始から途中までは、可動鉄心は前記動作部材により押圧され、所定位置へ復帰させる動作の途中からは、可動鉄心は前記永久磁石により吸引されて所定位置へ復帰することとしてもよい。
（３）  また、可動鉄心が前記所定位置より離脱した状態から所定位置へ復帰し、動作部材は第３の係合部が第１および第２の係合部のいずれにも当接しない位置まで移動した際、第３の係合部と第１の係合部との間隔が調整可能なように、自己保持型ソレノイドの固定位置が調節可能であることが好ましい。
（４）  請求項４の発明による絞り装置は、請求項１〜３のいずれかの項に記載の自己保持型ソレノイドの吸着機構と、動作部材の付勢力に抗して動作部材を駆動可能なリセットレバーと、リセットレバーに設けられた爪部に係止して、動作部材の付勢力に抗して動作部材を駆動する方向にリセットレバーを駆動する駆動レバーとを備えることを特徴とする。
（５）  請求項５の発明によるカメラは、請求項４の絞り装置を備えることを特徴とする。
【０００７】
【発明の実施の形態】
図１〜９を参照して、本発明による自己保持型ソレノイドの吸着機構を用いたカメラの絞り装置の一実施の形態について説明する。図１は、本実施の形態の絞り装置の取り付け状態を示す、カメラのミラーボックスの斜視図である。ミラーボックス２００には軸２２６が設けられ、絞り連動レバー２２３と、ミラーアップレバー２２４と、シャッターチャージレバー２２５とが、その軸２２６に回動可能に取り付けられている。さらにミラーボックス２００には、図２に詳細を示す絞り制御機構１００が取り付けられる。
【０００８】
絞り連動レバー２２３は、カメラボディに取り付けられた不図示の交換レンズの絞りレバーを駆動して、交換レンズの絞りを所定の絞り値に制御する。ミラーアップレバー２２４は、ミラーボックス２００の内部に設けられたメインミラーをミラーアップおよびミラーダウンさせるレバーである。シャッターチャージレバー２２５は、シャッターチャージおよびシャッターチャージ状態解除を行うレバーである。絞り連動レバー２２３の下部には、出力部２２３ａが設けられている。出力部２２３ａは、後述する連動ギヤと当接して、これと連動する。ミラーアップレバー２２４およびシャッターチャージレバー２２５の下部には、それぞれ入力部２２４ａ，２２５ａが設けられている。各入力部２２４ａ，２２５ａは、軸２２６に対して位相差をもって配置されており、後述するシーケンス駆動レバー１１８の先端部１１８ｂが各入力部２２４ａ，２２５ａの間に入り込んだ状態で配設される。絞り連動レバー２２３は、バネ２２７によって右回転方向に付勢されている。ミラーアップレバー２２４は、バネ２２８によって右回転方向に付勢されている。シャッターチャージレバー２２５は、バネ２２９によって左回転方向に付勢されている。
【０００９】
図２は、絞り機構１００を構成する各部品の配置を示す斜視図である。絞り機構１００は、各部品が配設された制御基板１３０と駆動基板１９０とから構成される。制御基板１３０には、自己保持型ソレノイド１０と、係止レバー５０と、ねじりバネ１０６と、ラチェット１０７と、エンコーダギヤ１１０と、エンコーダ１１１と、第２増速ギヤ１１２と、第１増速ギヤ１１３とが配設されている。駆動基板１９０には、上述の制御基板１３０と、リセットレバー１０８と、リセットレバー戻しバネ１１４と、連動ギヤ１１６と、シーケンス駆動レバー１１８と、カム１２０と、蓋基板１２１とが配設されている。
【００１０】
図３（ａ），（ｂ）に示すように、自己保持型ソレノイド１０は、ヨーク１１と、励磁コイルボビン１２と、永久磁石１３と、吸着板１４とを有する。励磁コイル１５の巻かれた励磁コイルボビン１２には貫通孔１６が設けられている。ヨーク１１には凸部１７と取り付け穴１８，１９とが設けられている。後述するように、凸部１７が制御基板１３０に設けられた穴１３４に嵌合して、穴１８，１９を通したねじにより自己保持型ソレノイド１０が制御基板１３０に取り付けられる。自己保持型ソレノイド１０の貫通孔１６には、可動鉄心２０が挿脱可能に挿入されている。
【００１１】
可動鉄心２０は、永久磁石１３の磁力により吸着されて、可動鉄心２０の一端である吸着端２１が吸着板１４に当接する。自己保持型ソレノイド１０の励磁コイル１５に電圧が印加されると、永久磁石１３による磁界（磁力）を相殺するような磁界が発生し、吸着された可動鉄心２０は離脱可能に釈放される。図３（ａ），（ｂ）に示すように、可動鉄心の他端には、円周方向の溝である係合溝部２２が設けられている。この係合溝部２２は、第１係合面２３と第２係合面２４を有し、図５に示す係止レバー５０の切り欠き部５１と係合する。
【００１２】
図４に示すように、係止レバー５０は、一端に設けられたＵ字型の切り欠き部５１を可動鉄心２０の係合溝部２２と係合させた状態で、制御基板１３０に設けられた軸１３１に回動可能に軸支される。係止レバー５０の他端には、ラチェット１０７に係合する爪５３が形成されている。係止レバー５０には、ねじりバネ１０６によって爪５３がラチェット１０７に係合する方向（左回転方向）に付勢力が与えられている。図５に示すように、切り欠き部５１の両側の部材のうち一方は他方より長く伸びた腕５４を形成している。
【００１３】
自己保持型ソレノイド１０が可動鉄心２０を吸着した状態では、図４に示すように、係合溝部２２で係合している係止レバー５０は、ねじりバネ１０６の付勢力に抗して右旋している。このとき係止レバー５０の切り欠き部５１は、可動鉄心２０の係合溝部２２の第１係合面２３に当接して係止される。自己保持型ソレノイド１０の励磁コイル１５に電圧が印加されると、永久磁石１３に吸着されていた可動鉄心２０が釈放され、ねじりバネ１０６の付勢力によって係止レバー５０は左回転方向に回転して、爪５３がラチェット１０７を係止する。
【００１４】
制御基板１３０に配設された第１増速ギヤ１１３および第２増速ギヤ１１２は、駆動基板１９０に配設された連動ギヤ１１６の動きを増速してラチェット１０７に伝達する。このラチェット１０７は、エンコーダギヤ１１０およびエンコーダギヤ１１０と同軸であってエンコーダギヤ１１０とともに回転する。すなわち、連動ギヤ１１６、第１増速ギヤ１１３、第２増速ギヤ１１２，およびエンコーダギヤ１１０により増速ギヤ列が構成されている。図４および図５に示すように、エンコーダギヤ１１０には小穴１１０ａが複数設けられ、このエンコーダギヤ１１０を挟み込むように、エンコーダギヤ１１０の回転量を検知するフォトインタラプタ１１１が設けられている。フォトインタラプタ１１１は、検出したエンコーダギヤ１１０の回転量を不図示の制御回路に出力する。
【００１５】
連動ギヤ１１６は、ビス１１７によって駆動基板１９０に取り付けられ、ビス１１７を中心に回動可能である。連動ギヤ１１６の一端に設けられた扇形ギヤ部１１６ａは、上述の第１増速ギヤ１１３と噛合している。連動ギヤ１１６の他端１１６ｂは、ミラーボックス２００に設けられた絞り連動レバー２２３の出力部２２３ａと連動し、絞り込み動作時に、図２において左旋する。
【００１６】
リセットレバー１０８は、駆動基板１９０に設けられた軸１９２に回動可能に軸支され、ビス１１５によって抜け止めがなされる。リセットレバー１０８は、ピン１０８ｃがリセットレバー戻しバネ１１４によって押されて、図２において左回転方向に付勢されている。また、リセットレバー１０８にはピン１０８ｂと腕１０８ｅが設けられている。腕１０８ｅの端部には突起部１０８ｄが設けられている。後述するように、突起部１０８ｄは、図２において左方向に揺動するシーケンス駆動レバー１１８の突起１１８ｃと係合してリセットレバー１０８を右旋させる。このリセットレバー１０８の右旋によって、ピン１０８ｂは係止レバー５０の腕５４をねじりバネ１０６の付勢力に抗して押圧する。
【００１７】
シーケンス駆動レバー１１８は、駆動基板１９０の下端側に設けられた軸１９５に対して回動可能に軸支される。図６は、シーケンス駆動レバー１１８をカメラの下方から見た図（図２の矢印Ａ方向から見た図）である。シーケンス駆動レバー１１８には２つのローラ１１９ａ，１１９ｂが設けられている。後述するカム１２０の回転に応じてローラ１１９ａ，１１９ｂが押圧されると、シーケンス駆動レバー１１８は軸１９５を中心に揺動する。シーケンス駆動レバー１１８には、駆動基板１９０の上方に向かって直立するように設けられた腕１１８ｄが設けられている。腕１１８ｄの先端部１１８ｂは、上述したとおり、ミラーボックス２００に設けられたミラーアップレバー２２４の先端部２２４ａおよびシャッターチャージレバー２２５の先端部２２５ａの間に配設される。シーケンス駆動レバー１１８の動き、すなわち、カム１２０の動きは、レバー先端部１１８ｂから各入力部２２４ａ，２２５ａを介してミラーアップレバー２２４およびシャッターチャージレバー２２５に伝達される。シーケンス駆動レバー１１８には、突起１１８ｃが設けられている。上述のように、突起１１８ｃは、リセットレバー１０８の突起部１０８ｄと係合して、リセットレバー１０８を回動させる。
【００１８】
カム１２０は、駆動基板１９０の軸１９４に回動可能に軸支され、蓋基板１２１により抜け止めがなされている。カム１２０には、不図示のギヤによって駆動されるギヤ部１２１と、カム面１２２を形成するカム部１２３とが一体に形成されている（図２）。
【００１９】
―――動作説明―――
本実施の形態の絞り装置の動作について説明する。図６（ａ）は、撮影開始前のシーケンス駆動レバー１１８とカム１２０の状態を示す。カム面１２２がローラ１１９ａを押圧することにより、シーケンス駆動レバー１１８が左回転方向に駆動されて停止している。先端部１１８ｂはミラーアップレバー２２４の入力部２２４ａをカメラ前方側に押圧している。すなわち、図１においてミラーアップレバー２２４が左旋されてメインミラーをミラーダウン位置としている。また、シャッターチャージレバー２２５は、バネ２２７の付勢力によって左旋されて、シャッターチャージは完了した状態となっている。
【００２０】
撮影開始前、レンズ絞りは開放状態である。すなわち、絞り連動レバー２２３は、図１において左旋した状態である。絞り連動レバー２２３により駆動される連動ギヤ１１６は図１において左旋（図２および図７において右旋）した状態であり、図７（ｃ）に示す状態となっている。図４に示すように、自己保持型ソレノイド１０は、可動鉄心２０を吸着保持した状態である。係止レバー５０はねじりバネ１０６の付勢力に抗して右旋されて、爪５３とラチェット１０７との係合が解除された状態である。
【００２１】
不図示のシャッターボタンが押圧されてレリーズ信号が入力されると、不図示のモータの回転により、カム１２０は、略１８０度左旋して図６（ａ）の状態から図６（ｂ）の状態となる。カム面１２２がローラ１１９ｂを押圧してシーケンス駆動レバー１１８を右回転方向に駆動している。このとき、図７（ａ）に示すように、シーケンス駆動レバー１１８の下部に設けられた突起１１８ｃがリセットレバー１０８の突起部１０８ｄと係合する。
【００２２】
ミラーアップレバー２２４の入力部２２４ａをカメラ前方側に押圧していた先端部１１８ｂは、図１においてカメラ後方に移動するので、ミラーアップレバー２２４がバネ２２８の付勢力によって右旋してメインミラーはミラーアップする。また、シャッターチャージレバー２２５は、その入力部２２５ａが先端部１１８ｂに押圧されて右旋し、シャッターチャージが解除された状態となっている。
【００２３】
また、不図示のシャッターボタンが押圧されてレリーズ信号が入力されると、絞り連動レバー２２３は、図１において、バネ２２７の付勢力によって右旋を開始して、レンズ絞りを開放状態から絞り込む。絞り連動レバー２２３により駆動される連動ギヤ１１６は、図１において右旋（図２および図７において左旋）を開始する。連動ギヤ１１６の回動は、第１増速ギヤ１１３および第２増速ギヤ１１２で増速されて、エンコーダギヤ１１０およびラチェット１０７に伝達される。ラチェット１０７の回転数は、エンコーダギヤ１１０に設けられた小穴１１０ａがフォトインタラプタ１１１を通過することで発生するパルスを不図示の制御回路によって計測して検出する。これにより、絞り連動レバー２２３の駆動量、すなわちレンズの絞り値は、フォトインタラプタ１１１で発生するパルス数で計測できる。
【００２４】
不図示の制御回路によって計測されたフォトインタラプタ１１１で発生するパルス数が、所望の絞り値に相当する計数値になると、不図示の制御回路から励磁コイル１５に電圧が印加され、可動鉄心２０を釈放する。この結果、図４の状態から、ねじりバネ１０６による付勢力により係止レバー５０が左旋し、爪５３がラチェット１０７に係合してラチェット１０７の回転を停止させる。
【００２５】
上述の絞り制御装置の動作に続き、周知の装置により不図示のシャッタが作動して撮影動作が行われ、引き続き各部のリセット動作が行われる。以下、リセット動作について説明する。
【００２６】
リセット動作では、不図示のモータの回転により、図６（ｂ）の状態からカム１２０が略１８０度左旋して図６（ａ）の状態に戻って停止する。カム面１２２がローラ１１９ａを押圧することにより、シーケンス駆動レバー１１８は左回転方向に駆動されている。先端部１１８ｂは、ミラーアップレバー２２４の入力部２２４ａをカメラ前方側に押圧し、図１においてカメラ前方に移動するので、ミラーアップレバー２２４が左旋されてメインミラーはミラーダウンする。また、シャッターチャージレバー２２５はバネ２９の付勢力により左旋されて、シャッターチャージが完了する。絞り連動レバー２２３も左旋した状態に戻り、レンズ絞りは開放状態となる。
【００２７】
上述のように、リセット動作開始直前に、突起１１８ｃはリセットレバー１０８の突起部１０８ｄに対して、図７（ａ）および図８（ａ）に示す状態となっている。シーケンス駆動レバー１１８が図６（ａ）から図６（ｂ）に示す状態へ駆動される過程では、リセットレバー１０８は、図７（ａ）および図８（ａ）に示した状態から、シーケンス駆動レバー１１８の回転に伴って右旋される。リセットレバー１０８に設けられたピン１０８ｂは係止レバー５０の腕５４をねじりバネ１０６の付勢力に抗して押圧する。押圧された係止レバー５０は、ラチェット１０７を係止している爪５３がラチェット１０７から離れて、拘束していたラチェット１０７の回転を開放する。
【００２８】
係止レバー５０の右旋により、切り欠き部５１に係合している可動鉄心２０は、第２係合面２４が切り欠き部５１に押圧されて永久磁石１３の方へ移動される。その後、係止レバー５０は、腕５４が駆動基板１９０の当接面１９１に当接して、その右旋が停止される。図７（ｂ）および図８（ｂ）は、係止レバー５０の腕５４が駆動基板１９０の当接面１９１に当接した状態を示している。シーケンス駆動レバー１１８はその後も駆動されるので、リセットレバー１０８の腕１０８ｅが撓み、突起部１０８ｄと突起１１８ｃとの係合が外れる。これにより、リセットレバー１０８はリセットレバー戻しバネ１１４の付勢力によって左旋される。この状態が図７（ｃ）、図８（ｃ）の状態である。シーケンス駆動レバー１１８は、カム１２０が図６（ａ）に示す位相になるまで駆動されて停止し、一連のリセット動作が終了する。
【００２９】
―――自己保持型ソレノイド１０の取り付け―――
上述のように、自己保持型ソレノイド１０は、ヨーク１１に設けられた凸部１７が制御基板１３０に設けられた穴１３４に嵌合して、穴１８，１９を通したねじにより制御基板１３０に取り付けられる。穴１３４は横長の穴であり、自己保持型ソレノイド１０の水平方向の位置調整が可能である。また、穴１３４の図４の上下方向の寸法は凸部１７と略等しく、自己保持型ソレノイド１０の垂直方向の位置を規制する。
【００３０】
図４によく示すように、可動鉄心２０が永久磁石１３に吸着された状態では、係止レバー５０の切り欠き部５１は係合溝部２２の第１係合面２３に当接する。
この状態では、図４における切り欠き部５１の左側側面は、第２係合面２４と、距離Ｄだけ離間している。このとき、係止レバー５０の腕５４の下端は、駆動基板１９０の当接面１９１と、距離Ｃだけ離間している。距離Ｃと距離Ｄとは、Ｃ＜Ｄとなっている。すなわち、可動鉄心２０が永久磁石１３に吸着された状態では、係止レバー５０の腕５４が当接面１９１と当接するまで右旋されても、切り欠き部５１は第２係合面２４と当接せず、かつ第１係合面２３とも当接しない。
【００３１】
係止レバー５０の爪５３とラチェット１０７とは距離Ｅだけ離間している。後述のように、距離Ｃを一定に保つよう自己保持型ソレノイド１０を制御基板１３０に取り付けることで、距離Ｅも略一定に保たれる。これにより、励磁コイル１５への通電からラチェット１０７係止までの時間が一定となり、絞り制御の精度が向上する。
【００３２】
自己保持型ソレノイド１０の制御基板１３０への取り付けは、次のように行う。
（１）  係止レバー５０が係合した可動鉄心２０を永久磁石１３に吸着させ、上記距離Ｃに等しい厚さの不図示のスペーサを係止レバー５０の腕５４の下端と駆動基板１９０の当接面１９１との間に挿入して仮固定する。
（２）  係止レバー５０の切り欠き部５１を係合溝部２２の第１係合面２３に当接させた状態で、係止レバー５０の腕５４の下端と駆動基板１９０の当接面１９１の双方が不図示のスペーサに当接するまで自己保持型ソレノイドを水平移動させ、穴１８，１９を通したねじにより制御基板１３０に取り付ける。
このようにすることで、距離Ｃを一定に保つよう、また、距離Ｅも略一定に保つよう自己保持型ソレノイド１０を制御基板１３０に取り付けることができる。
【００３３】
―――可動鉄心２０と係止レバー５０との位置関係―――
図９を参照して、可動鉄心２０の係合溝部２２と係止レバー５０の切り欠き部５１との位置関係を説明する。図９（ａ）〜（ｃ）は、図８（ａ）〜（ｃ）における自己保持型ソレノイド１０と可動鉄心２０と係止レバー５０の一部とを拡大して示した図である。
【００３４】
図９（ａ）は、永久磁石１３から可動鉄心２０が釈放され、ねじりバネ１０６の付勢力によって係止レバー５０が左回転方向に回転して、爪５３がラチェット１０７を係止した状態を示す図である。この状態では、係止レバー５０の切り欠き部５１と可動鉄心の第１係合面２３とが当接している。リセット動作が開始されると、上述のように、リセットレバー１０８のピン１０８ｂは、係止レバー５０の腕５４をねじりバネ１０６の付勢力に抗して押圧する。このとき、切り欠き部５１は可動鉄心２０の第２係合面２４に当接して可動鉄心２０を永久磁石１３の方へ押圧する。その後、腕５４が駆動基板１９０の当接面１９１に当接して、係止レバー５０の右旋が停止される。
【００３５】
図９（ｂ）は、係止レバー５０の腕５４が駆動基板１９０の当接面１９１に当接した状態を示している。このとき、可動鉄心２０は、永久磁石１３の磁力によって吸引されて、吸着位置まで移動する。この位置では、上述のように、第１係合面２３および第２係合面２４の双方とも係止レバー５０の切り欠き部５１から離間した状態となる。すなわち、係止レバー５０は、可動鉄心２０の吸着端２１が吸着板１４に当接する前に、腕５４が当接面１９１に当接して停止する。可動鉄心２０が永久磁石１３に吸着された後の、第１係合面２３と切り欠き部５１との距離をＦとする。上述した、図４に示す距離Ｃが一定に保たれるように自己保持型ソレノイド１０を制御基板１３０に取り付けることで、距離Ｆは略一定に保たれる。
【００３６】
リセット動作が進行すると、上述のように、リセットレバー１０８の突起部１０８ｄとシーケンス駆動レバー１１８の突起１１８ｃとの係合が外れて、リセットレバー１０８はリセットレバー戻しバネ１１４の付勢力によって左旋される。図９（ｂ）の状態からピン１０８ｂが右側へ移動して、図９（ｃ）に示すように、係止レバー５０の腕５４から離間する。これにより、ねじりバネ１０６の付勢力によって係止レバー５０の腕５４は、距離Ｆだけ左旋されて、切り欠き部５１が可動鉄心２０の第１係合面２３に衝突する（図９（ｃ））。距離Ｆは、上述した自己保持型ソレノイド１０を制御基板１３０に取り付ける方法によって略一定に保たれているので、切り欠き部５１が可動鉄心２０の第１係合面２３に衝突する際の衝撃は小さな値で略一定に保たれる。
【００３７】
上述した本発明による自己保持型ソレノイドの吸着機構を用いたカメラの絞り装置では、次の作用効果を奏する。
（１）  釈放された可動鉄心２０のリセット動作において、係止レバー５０の腕５４が駆動基板１９０の当接面１９１に当接するまで可動鉄心２０を永久磁石１３の方へ移動させたとき、第１係合面２３および第２係合面２４の双方とも係止レバー５０の切り欠き部５１から離間した状態となる。これにより、リセット動作後半に、係止レバー５０の切り欠き部５１が可動鉄心２０の第１係合面２３の方へ戻る距離を少なくできるので、切り欠き部５１が第１係合面２３へ衝突する際の衝撃を小さくすることができ、予期せぬ可動鉄心２０の離脱を防止できる。
（２）  釈放された可動鉄心２０のリセット動作において、係止レバー５０の腕５４が駆動基板１９０の当接面１９１に当接するまで可動鉄心２０を永久磁石１３の方へ移動させたとき、可動鉄心２０は永久磁石１３の磁力によって吸着される。これにより、係止レバー５０によって可動鉄心２０を永久磁石１３の方へ移動させる距離を少なくでき、上述の作用効果を奏する。
（３）  釈放された可動鉄心２０のリセット動作において、係止レバー５０の腕５４が駆動基板１９０の当接面１９１に当接したとき、第１係合面２３と切り欠き部５１との距離Ｆが略一定になるようにして、自己保持型ソレノイド１０が固定されている。これにより、リセット動作後半に、係止レバー５０の切り欠き部５１が可動鉄心２０の第１係合面２３の方へ戻る距離を略一定に保つことができ、予期せぬ可動鉄心２０の離脱を安定的に防止できる。
（４）  可動鉄心２０が永久磁石１３に吸着された状態で、係止レバー５０の腕５４の下端と駆動基板１９０の当接面１９１との距離Ｃを一定に保つよう自己保持型ソレノイド１０を制御基板１３０に取り付けた。したがって、係止レバー５０の爪５３とラチェット１０７との距離Ｅも略一定に保つことができる。これにより、励磁コイル１５への通電からラチェット１０７係止までの時間が一定となり、絞り制御の精度が向上する。
【００３８】
上述の説明では、自己保持型ソレノイドの吸着機構を用いたカメラの絞り装置の一実施の形態について説明したが、本発明はこれに限らない。たとえば、ストロボのポップアップ機構や、ダイレクトタイプのフォーカルプレーンシャッター駆動部など、自己保持型ソレノイドを使用する機構に適用することもできる。
【００３９】
以上の実施の形態において、たとえば、第１および第２の係合部は、第１係合面２３および第２係合面２４によって実現される。第３の係合部は切り欠き部５１で、動作部材は係止レバー５０で、リセットレバーはリセットレバー１０８で、  駆動レバーはシーケンス駆動レバー１１８でそれぞれ実現される。さらに、本発明の特徴的な機能を損なわない限り、本発明は、上述した実施の形態における機器構成に何ら限定されない。
【００４０】
【発明の効果】
可動鉄心が所定位置より離脱した状態から所定位置へ復帰するとき、動作部材は第３の係合部が第１および第２の係合部のいずれにも当接しない位置まで移動した後、第３の係合部が第１の係合部と当接して可動鉄心を所定位置へ復帰させる動作を終了することとした。これにより、可動鉄心を所定位置へ復帰させた後、第３の係合部が第１の係合部へ戻る距離を少なくできるので、第３の係合部が第１の係合部と当接する際の衝撃を小さくすることができ、予期せぬ可動鉄心の離脱を防止できる。
【図面の簡単な説明】
【図１】本実施の形態の絞り装置の取り付け状態を示す、カメラのミラーボックスの斜視図である。
【図２】絞り機構１００を構成する各部品の配置を示す斜視図である。
【図３】自己保持型ソレノイド１０と可動鉄心２０を示す図であり、（ａ）は平面図、（ｂ）は側面図である。
【図４】図３の自己保持型ソレノイド１０と可動鉄心２０と係止レバー５０とを示す図であり、可動鉄心２０と係止レバー５０との係合状態を示す。
【図５】係止レバー５０と係止レバー５０の周囲の部品を示した斜視図である。
【図６】シーケンス駆動レバー１１８とカム１２０の状態を示す断面図であり、（ａ）は撮影開始前の状態を示し、（ｂ）はリセット動作開始直前の状態を示す。
【図７】絞り制御機構１００を示す図であり、（ａ）はリセット動作開始直前の状態を示し、（ｂ）はリセット動作の途中の状態を示し、（ｃ）は、リセット動作完了後、すなわち撮影開始前の状態を示す。
【図８】図７における制御基板１３０を示す図であり、（ａ）はリセット動作開始直前の状態を示し、（ｂ）はリセット動作の途中の状態を示し、（ｃ）は、リセット動作完了後、すなわち撮影開始前の状態を示す。
【図９】図８における自己保持型ソレノイド１０の周辺を示す図であり、（ａ）はリセット動作開始直前の状態を示し、（ｂ）はリセット動作の途中で係止レバー５０の腕５４が駆動基板１９０の当接面１９１に当接した状態を示し、（ｃ）は、リセット動作完了後、すなわち撮影開始前の状態を示す。
【符号の説明】
１０  自己保持型ソレノイド                １３  永久磁石
１５  励磁コイル                          １７  凸部
１８，１９取り付け穴                      ２０  可動鉄心
２２  係合溝部                            ２３  第１係合面
２４  第２係合面                          ５０  係止レバー
５１  切り欠き部                          ５３  爪
５４  腕                                  １００  絞り機構
１０６  ねじりバネ                        １０７  ラチェット
１０８  リセットレバー                    １０８ｄ  突起部
１１０  エンコーダギヤ                    １１８  シーケンス駆動レバー
１２０  カム                              １３０  制御基板
１３４  穴                                １９０  駆動基板
１９１  当接面
【図１】
2004363462.tif 000003
【図２】
2004363462.tif 000004
【図３】
2004363462.tif 000005
【図４】
2004363462.tif 000006
【図５】
2004363462.tif 000007
【図６】
2004363462.tif 000008
【図７】
2004363462.tif 000009
【図８】
2004363462.tif 000010
【図９】
2004363462.tif 000011